(57)【特許請求の範囲】
【請求項１】
電子トランスの二次側端子に接続され、入力される交流電圧を直流電圧に変換するＡＣ／ＤＣ変換部と、
前記ＡＣ／ＤＣ変換部から出力された直流電圧が入力されるＬＥＤドライバと、
前記ＬＥＤドライバによって駆動されるＬＥＤ素子と、
前記電子トランスの二次側の端子と前記ＬＥＤドライバとの間の位置において、前記ＬＥＤ素子側の負荷と並列に接続された不点灯防止回路とを備え、
前記不点灯防止回路は、前記ＬＥＤ素子の点灯開始前における前記ＬＥＤ素子側の負荷のインピーダンスより低く、前記ＬＥＤ素子の点灯時における前記ＬＥＤ素子側の負荷のインピーダンスより高いインピーダンスを有する回路であって、
前記不点灯防止回路は、前記電子トランスの二次側の端子と、前記ＡＣ／ＤＣ変換部との間に配置され、前記ＡＣ／ＤＣ変換部と並列に接続され、
前記不点灯防止回路が、
第一抵抗、前記第一抵抗に並列に接続された第一コンデンサ、及び、前記第一抵抗に直列に接続された第一ダイオードを含む第一回路と、
第二抵抗、前記第二抵抗に並列に接続された第二コンデンサ、及び、前記第二抵抗に直列に接続され、前記第一ダイオードと導通方向が反転した第二ダイオードを含み、前記第一回路に並列に接続された第二回路とを含むことを特徴とするＬＥＤランプ。
【請求項２】
前記第一抵抗は、前記第一ダイオードのカソードに接続され、
前記第二抵抗は、前記第二ダイオードのカソードに接続されていることを特徴とする請求項１に記載のＬＥＤランプ。
【発明の詳細な説明】
【技術分野】
【０００１】
本発明はＬＥＤランプに関する。
【背景技術】
【０００２】
近年、電力消費量が少なく、また長寿命である等の理由により、照明用の光源として、ＬＥＤを用いたランプ（以下、「ＬＥＤランプ」と呼ぶ。）が使用されるようになってきている。特に、例えば１２Ｖ用のスポットライト光源の分野では、ハロゲンランプからＬＥＤランプへの置き換え（レトロフィット）が進んでいる（例えば特許文献１参照）。
【先行技術文献】
【特許文献】
【０００３】
【特許文献１】特許第５６４７２５０号公報
【発明の概要】
【発明が解決しようとする課題】
【０００４】
ハロゲンランプからＬＥＤランプへのレトロフィットを実現するに当たっては、省資源の観点からも、なるべくハロゲンランプで利用していた設備をそのまま活かしてＬＥＤランプを点灯できるのが望ましい。例えば上記１２Ｖ用の光源分野では、商用電圧が電子トランスによって低電圧に変換された後、この電圧がハロゲンランプに供給されている。よって、この電子トランスから供給される交流電圧を用いてＬＥＤランプに供給することができれば、電圧変換部を別途設けなくてもよいので効率的である。
【０００５】
上記特許文献１には、上記のようなレトロフィットを実現した場合において、駆動時にフリッカが発生するという課題を解決する技術が開示されている。
【０００６】
ところで、ハロゲンランプからＬＥＤランプに交換するにあたっては、電子トランスの一次側に対して交流電圧を供給したままで交換作業が行われることが想定される。例えば、メインスイッチをオンにした状態でハロゲンランプのソケットを取り外し、ＬＥＤランプのソケットを装着するという手順でランプの交換がされることが考えられる。これは、メインスイッチをオフにしてしまうと、全ての照明がいったん落ちてしまうので、暗くなって作業効率性が低下するという事情や、そもそもメインスイッチをいちいちオフにするのが煩わしいという事情によるものである。
【０００７】
本発明者らの鋭意研究によれば、このようにメインスイッチをオンにしたままでハロゲンランプからＬＥＤランプへの置き換えの作業を行うと、ＬＥＤランプが点灯しない事態が発生する場合があることが分かった。本発明は、かかる課題を解決すべくなされたものである。
【課題を解決するための手段】
【０００８】
本発明に係るＬＥＤランプは、
電子トランスの二次側の端子に接続され、入力される交流電圧を直流電圧に変換するＡＣ／ＤＣ変換部と、
前記ＡＣ／ＤＣ変換部から出力された直流電圧が入力されるＬＥＤドライバと、
前記ＬＥＤドライバによって駆動されるＬＥＤ素子と、
前記電子トランスの二次側の端子と前記ＬＥＤドライバとの間の位置において、前記ＬＥＤ素子側の負荷と並列に接続された不点灯防止回路とを備え、
前記不点灯防止回路は、前記ＬＥＤ素子の点灯開始前における前記ＬＥＤ素子側の負荷のインピーダンスより低く、前記ＬＥＤ素子の点灯時における前記ＬＥＤ素子側の負荷のインピーダンスより高いインピーダンスを有する回路であることを特徴とする。
【０００９】
本発明者らは、鋭意研究により、ハロゲンランプをＬＥＤランプに置き換えたときに不点灯になる原因は、電子トランスに最小負荷電流という条件が課されていることにあることを突き止めた。
【００１０】
図１は、電子トランスの構成の一例を示す図である。図１に示された電子トランス６０は、整流回路６１、平滑回路６２、及び発振回路６３を備える。電子トランス６０の一次側端子６０ａには、商用の交流電圧が入力される。整流回路６１は、この商用交流電圧を直流電圧に変換する。この直流電圧は、例えばコンデンサＣ６２を含む平滑回路６２で平滑化された後、発振回路６３に入力される。
【００１１】
発振回路６３は、一次巻線ＬＬ１、二次巻線ＬＬ２、及び三次巻線ＬＬ３を有するトランスＴｒ６３、スイッチング素子Ｑ６３、抵抗Ｒ６３、及びダイオードＤ６３を備える。スイッチング素子Ｑ６３がスイッチングすることにより、トランスＴｒ６３の一次巻線ＬＬ１に電圧が印加され、二次巻線ＬＬ２及び三次巻線ＬＬ３に誘起電圧が発生する。三次巻線ＬＬ３に発生した電圧はスイッチング素子Ｑ６３に正帰還される。これにより、発振回路６３は自励式の発振動作を繰り返し、スイッチング素子Ｑ６３はスイッチング動作を繰り返す。一例として、電子トランス６０の一次側端子６０ａに、周波数５０／６０Ｈｚ、１００Ｖの交流電圧が印加されると、トランスＴｒ６３の二次巻線ＬＬ２には、周波数２０ｋＨｚ〜１００ｋＨｚ、１２Ｖの交流電圧が誘起され、この電圧が、電子トランス６０の二次側端子６０ｂから取り出される。
【００１２】
電子トランス６０は、このように商用電圧よりも低い電圧でランプを点灯させる場合に、商用電圧を降圧させる目的で設けられる。しかし、電子トランス６０は、二次側端子６０ｂから負荷に対して、ある程度以上の電流（以下、「最小負荷電流」と呼ぶ。）が流れないと安定した発振を行うことができないという設計上の制約を有している。
【００１３】
更に、ＬＥＤは、ドライバが動作し始めるまでの低電圧領域においては、電流が流れない非線形素子である。図２は、ＬＥＤ素子とハロゲンランプの電流電圧特性を模式的に示した図である。図２に示すように、ハロゲンランプは印加される電圧に応じた電流が流れるが、ＬＥＤ素子においては、所定の閾値電圧Ｖｔｈ以下の範囲内では電流が全く又はほとんど流れない。
【００１４】
この事実は、電子トランス６０の作動中にハロゲンランプからＬＥＤランプへと置き換えの作業を行った際に、ＬＥＤランプが点灯しないという事態が生じることへの理由となる。ハロゲンランプは線形性を有した抵抗素子であるとみなすことができるため、低い電圧を印加しても印加された電圧に応じた低い電流が流れる。よって、二次巻線ＬＬ２に電圧を誘起し続けることができ、また、スイッチング素子Ｑ６３も安定的に発振させることができる。
【００１５】
ハロゲンランプが点灯している状態で、ハロゲンランプを取り外し、電子トランス６０の二次側端子６０ｂにＬＥＤ素子を含むＬＥＤランプを接続させた場合を考える。ハロゲンランプを取り外した時点において、電子トランス６０の二次側端子６０ｂは開放状態となるため、極めて大きなインピーダンスが接続されているのと等価となる。この結果、電子トランス６０の二次巻線ＬＬ２から負荷側にはほとんど電流が流れない状態となるため、電子トランス６０の二次巻線ＬＬ２から負荷側に向かう電流が電子トランス６０の最小負荷電流を下回り、電子トランス６０が安定して発振しない環境になる。すなわち、電子トランス６０の二次巻線ＬＬ２には電圧が全く又はほとんど誘起されていない状態となる。
【００１６】
この状態で、電子トランス６０の二次側端子６０ｂにＬＥＤ素子を含むＬＥＤランプを接続させる。電子トランス６０の二次巻線ＬＬ２に電圧が全く又はほとんど誘起されていない状態であるため、ＬＥＤ素子に印加される電圧が閾値電圧Ｖｔｈを下回っている。この結果、ＬＥＤ素子には電流が流れない。よって、電子トランス６０の二次巻線ＬＬ２から負荷側にはほとんど電流が流れない状態が継続される。すなわち、電子トランス６０の二次巻線ＬＬ２から負荷側に向かう電流が、依然として電子トランス６０の最小負荷電流を下回るため、引き続き電子トランス６０が安定して発振しない環境になる。
【００１７】
この結果、点灯中のハロゲンランプを取り外し、ＬＥＤランプを装着した場合に、ＬＥＤランプが点灯しないという状態が発現する。
【００１８】
本発明に係るＬＥＤランプは、電子トランスの二次側の端子と、ＬＥＤドライバとの間に、ＬＥＤ素子側の負荷と並列に接続された不点灯防止回路を備えている。ここで、ＬＥＤ素子側の負荷とは、不点灯防止回路から見て、ＬＥＤ素子側に接続されている負荷（例えばＬＥＤドライバやＬＥＤ素子を含む直列回路）を指している。
【００１９】
そして、この不点灯防止回路は、ＬＥＤ素子の点灯開始前におけるＬＥＤ素子側の負荷のインピーダンスより低く、ＬＥＤ素子の点灯時におけるＬＥＤ素子側の負荷のインピーダンスより高いインピーダンスを有している。
【００２０】
つまり、不点灯防止回路のインピーダンスは、ＬＥＤ素子に対して閾値電圧以下の電圧が印加されている場合における、ＬＥＤ素子及びＬＥＤドライバを含む、不点灯防止回路よりもＬＥＤ素子側のインピーダンスより高い。なお、図２に示すように、ＬＥＤ素子は非線形素子であり、閾値電圧以下の電圧がＬＥＤ素子に印加されている場合におけるＬＥＤ素子のインピーダンスは、極めて高いインピーダンスを示す。
【００２１】
また、不点灯防止回路のインピーダンスは、ＬＥＤ素子が点灯している場合、すなわちＬＥＤ素子に対して閾値電圧より高い電圧が印加されている場合における、ＬＥＤ素子及びＬＥＤドライバを含む、不点灯防止回路よりもＬＥＤ素子側のインピーダンスより低い。
【００２２】
この構成によれば、ハロゲンランプを取り外してＬＥＤランプを取り付けた直後において、ＬＥＤランプが備えるＬＥＤ素子は点灯前の状態であるため、上述したように、極めて高いインピーダンスを示す。点灯前のＬＥＤ素子を含む負荷インピーダンスよりは低いインピーダンスの不点灯防止回路が、電子トランスの二次側の端子とＬＥＤドライバとの間の位置において、ＬＥＤ素子側の負荷と並列に接続されている。このため、電子トランスの二次側端子にＬＥＤランプが接続されると、電子トランスの二次側端子から、不点灯防止回路を介して電子トランスの二次側端子へと戻る閉回路内を電流が流れる。この結果、電子トランスの最小負荷電流を超える電流が流れ、電子トランスの二次側端子に電圧が誘起する。
【００２３】
そして、誘起した電圧が、ＬＥＤ素子の閾値電圧を超えると、不点灯防止回路のインピーダンスが、ＬＥＤ素子の点灯時におけるＬＥＤ素子側の負荷インピータンスよりも高いため、電子トランスの二次側端子から、不点灯防止回路と比べて、ＬＥＤ素子側の負荷に向かう電流が多く流れるようになる。これにより、ＬＥＤ素子が点灯する。ＬＥＤ素子に電流が流れることで、電子トランスの最小負荷電流を超える電流が継続的に流れるため、電子トランスの二次側端子には安定的に電圧が誘起される。
【００２４】
不点灯防止回路は、抵抗を含んで構成されることができる。
【００２５】
また、不点灯防止回路は、抵抗に並列に接続されたコンデンサを含む構成とすることができる。この構成によれば、不点灯防止回路が抵抗のみで構成されている場合と比較して、ＬＥＤ点灯時に、不点灯防止回路に流れる電流量を低下させ、消費電力を削減することができる。
【００２６】
また、不点灯防止回路は、更に、抵抗に直列に接続されたダイオードを含む構成とすることができる。
【００２７】
不点灯防止回路を整流回路よりも電子トランス側に配置した場合、不点灯防止回路に対しては交流電圧が印加される。このため、不点灯防止回路が並列ＲＣ回路で構成されている場合、Z = R / (1 + jωRC) のインピーダンスを有するため、点灯時において常時不点灯防止回路内に電流が流れる。これに対し、ダイオードを直列に接続することで、コンデンサに充電されるまでは電流が流れるが、コンデンサから放電されるときは、ダイオードによって導通されないため、不点灯防止回路内を電流が流れる期間を限定的にすることができる。この結果、ＬＥＤ点灯時に、不点灯防止回路に流れる電流量を更に低下させることができる。
【００２８】
前記不点灯防止回路は、前記電子トランスの二次側の端子と、前記ＡＣ／ＤＣ変換部との間に配置され、前記ＡＣ／ＤＣ変換部と並列に接続されているものとしても構わない。
【００２９】
不点灯防止回路をＡＣ／ＤＣ変換部よりもＬＥＤ素子側に配置すると、電子トランスの二次側の端子に誘起された交流電圧がＡＣ／ＤＣ変換部で変換されることで得られた直流電圧が、不点灯防止回路に印加される。ＡＣ／ＤＣ変換部における電圧変換の際に、電圧が低下する。この結果、ＬＥＤ素子の閾値電圧以上の電圧を不点灯防止回路の両端間に発生させるためには、不点灯防止回路をＡＣ／ＤＣ変換部よりも電子トランス側に配置した場合と比較して、より大きな電圧が必要になってしまう。
【００３０】
上記のように、不点灯防止回路をＡＣ／ＤＣ変換部よりも電子トランス側に配置することで、ハロゲンランプからＬＥＤランプへの置き換え時に、より早期、且つより確実にＬＥＤランプを点灯させることができる。
【００３１】
前記不点灯防止回路が、
第一抵抗、前記第一抵抗に並列に接続された第一コンデンサ、及び、前記第一抵抗に直列に接続された第一ダイオードを含む第一回路と、
第二抵抗、前記第二抵抗に並列に接続された第二コンデンサ、及び、前記第二抵抗に直列に接続され、前記第一ダイオードと道通方向が反転した第二ダイオードを含み、前記第一回路に並列に接続された第二回路とを含むものとしても構わない。
【００３２】
不点灯防止回路に対して交流電圧が供給される場合において、上記の構成とすることで、電圧の極性が反転しても、ＬＥＤ点灯時に不点灯防止回路内に流れる電流量が抑制でき、消費電力が低減できる。
【発明の効果】
【００３３】
本発明のＬＥＤランプによれば、ハロゲンランプからの置き換えで設置された場合においても、従来よりも確実に点灯させることができる。
【図面の簡単な説明】
【００３４】
【図１】電子トランスの構成の一例を示す図である。
【図２】ＬＥＤ素子とハロゲンランプの電流電圧特性を模式的に示した図である。
【図３】一実施形態のＬＥＤランプの構成を模式的に示すブロック図である。
【図４】別実施形態のＬＥＤランプの構成を模式的に示すブロック図である。
【図５】別実施形態のＬＥＤランプの構成を模式的に示すブロック図である。
【図６】別実施形態のＬＥＤランプの構成を模式的に示すブロック図である。
【図７】別実施形態のＬＥＤランプの構成を模式的に示すブロック図である。
【発明を実施するための形態】
【００３５】
本発明のＬＥＤランプの一実施形態につき、図面を参照して説明する。なお、図１と共通の要素については、同一の符号を付している。
【００３６】
図３は、一実施形態のＬＥＤランプの構成を模式的に示すブロック図である。図３に示されるＬＥＤランプ１は、電子トランス６０の二次側端子６０ｂに接続された、ＡＣ／ＤＣ変換部２０と、ＡＣ／ＤＣ変換部２０よりも後段に配置されたＬＥＤドライバ３０と、ＬＥＤドライバ３０から直流電流が供給されて駆動制御が行われるＬＥＤ素子４０とを備える。また、ＬＥＤランプ１は、電子トランス６０とＡＣ／ＤＣ変換部２０との間の位置において、ＡＣ／ＤＣ変換部２０と並列に接続された不点灯防止回路１０を備える。
【００３７】
本実施形態において、不点灯防止回路１０は、第一回路１１と第二回路１２とを備える。第一回路１１は、抵抗Ｒ１１、抵抗Ｒ１１に並列に接続されたコンデンサＣ１１、及び抵抗Ｒ１１に直列に接続されたダイオードＤ１１を備える。第二回路１２は、第一回路１１と並列に接続されており、抵抗Ｒ１２、抵抗Ｒ１２に並列に接続されたコンデンサＣ１２、及び抵抗Ｒ１２に直列に接続され、ダイオードＤ１１と導通方向が反転したダイオードＤ１２とを備えている。
【００３８】
ＬＥＤ素子４０は、上述したように閾値電圧Ｖｔｈ以下の電圧が印加されている間はほとんど電流を流さず、閾値電圧Ｖｔｈを超える電圧が印加されると導通して発光する。すなわち、ＬＥＤ素子４０は、点灯開始前の状態においては極めて高いインピーダンスを有し、点灯時においてインピーダンスが低下する性質を有する。第一回路１１及び第二回路１２は、いずれも、ＬＥＤ素子４０の点灯開始前における、不点灯防止回路１０よりもＬＥＤ素子４０側の負荷インピータンスよりは低く、ＬＥＤ素子４０の点灯時における、不点灯防止回路１０よりもＬＥＤ素子４０側の負荷インピータンスよりは高いインピーダンスとなるように、各回路素子の値が調整されている。なお、ＬＥＤ素子４０の点灯開始前においては、ＬＥＤ素子４０のインピーダンスが極めて高いため、不点灯防止回路１０よりもＬＥＤ素子４０側の負荷インピータンスは、ほぼＬＥＤ素子４０のインピーダンスに依存する。
【００３９】
ＡＣ／ＤＣ変換部２０は、例えば全波整流回路を構成する整流ダイオードによって構成される。ＬＥＤドライバ３０はＬＥＤ４０を駆動するドライバであり、公知の技術で実現される。
【００４０】
電子トランス６０は、ハロゲンランプの電圧源を構成するトランスであるものとしてよい。すなわち、電子トランス６０の二次側端子６０ｂ以後において、ハロゲンランプ及びその駆動回路が構成されており、それが取り外されて、不点灯防止回路１０、ＡＣ／ＤＣ変換部２０、ＬＥＤドライバ３０、及びＬＥＤ素子４０を含むモジュールが取り付けられるものとすることができる。例えばこのモジュールが一体化され、天井面等に設けられたねじ込み（スクリュー）又はピン等によって、電子トランス６０の二次側端子６０ｂと接続される。
【００４１】
電子トランス６０の一次側端子６０ａに対して電圧が供給されたままの状態で、上記モジュールが取り付けられた場合について検討する。このとき、ＬＥＤ素子４０は点灯前の状態であるため、極めて高いインピーダンスを示す。よって、電子トランス６０の二次側端子６０ｂから、ＡＣ／ＤＣ変換部２０、ＬＥＤドライバ３０、及びＬＥＤ素子４０を含む直列回路が構成する負荷インピーダンスが大きいため、かかる直列回路にはほとんど電流が流れない。他方、この直列回路と並列に接続されている不点灯防止回路１０は、当該直列回路よりもインピーダンスが低いため、電子トランス６０の二次側端子６０ｂから不点灯防止回路１０に対してある程度の電流が流れる。この結果、電子トランス６０の最小負荷電流を超える電流が流れ、二次側端子６０ｂに安定的に電圧が誘起する。
【００４２】
二次側端子６０ｂの誘起電圧がある一定値を超えると、ＬＥＤ素子４０への印加電圧が、ＬＥＤ素子４０の閾値電圧Ｖｔｈを超える。このとき、ＬＥＤ素子４０に対して電流が流れ始め、ＬＥＤ素子４０は点灯する。この後、ＬＥＤ素子４０のインピーダンスは低下するため、ＡＣ／ＤＣ変換部２０、ＬＥＤドライバ３０、及びＬＥＤ素子４０を含む直列回路の負荷インピーダンスが、不点灯防止回路１０のインピーダンスよりも低下する。この結果、電子トランス６０の二次側端子６０ｂから不点灯防止回路１０に向かって流れる電流量は低下し、ＬＥＤ素子４０側へと電流が継続的に流れる。これにより、ＬＥＤ素子４０は安定的に発光する。
【００４３】
一例として、ＬＥＤ素子４０の点灯開始前におけるインピーダンスは１４ｋΩであり、ＬＥＤ素子４０の点灯時におけるインピーダンスは１７Ωであり、不点灯防止回路１０が備える抵抗Ｒ１１，Ｒ１２は１ｋΩである。
【００４４】
以下、説明が重複するため、不点灯防止回路１０のうち、第一回路１１についてのみ説明する。不点灯防止回路１０が、抵抗Ｒ１１と並列に接続されたコンデンサＣ１１を備えることで、コンデンサＣ１１を備えない場合と比較して、ＬＥＤ素子４０の点灯後、コンデンサＣ１１が充電された後は抵抗Ｒ１１に流れる電流量が低下する。これにより、ＬＥＤ素子４０の点灯時における不点灯防止回路１０内での消費電力の発生が抑制される。
【００４５】
また、不点灯回路回路１０が、抵抗Ｒ１１と直列に接続されたダイオードＤ１１を備えることで、ダイオードＤ１１を備えない場合と比較して、コンデンサＣ１１に蓄積された電荷が流れだして電力が消費されるのが抑制される。特に、本実施形態では、ＡＣ／ＤＣ変換部２０よりも電子トランス６０側に不点灯防止回路１０が配置されているため、不点灯防止回路１０には交流電圧が供給される。図３に示すように、不点灯防止回路１０が、導通方向の異なる２つのダイオードＤ１１，Ｄ１２を備えることで、電圧の極性によらず、消費電力の発生を抑制することができる。
【００４６】
［別実施形態］
以下、別実施形態について説明する。
【００４７】
図４に示すように、不点灯防止回路１０は、第一回路１１のみを備える構成であっても構わない。この場合においても、従来構成と比較して、ハロゲンランプからＬＥＤランプ１に置き換えた際に、ＬＥＤランプ１が不点灯となる確率を下げることができる。
【００４８】
また、図５に示すように、不点灯防止回路１０は、図４の構成において、ダイオードＤ１１を備えない構成としても構わない。なお、図３の構成において、不点灯防止回路１０は、ダイオードＤ１１及びＤ１２を備えない構成としても構わない。
【００４９】
更に、図６に示すように、不点灯防止回路１０は、図４の構成において、ダイオードＤ１１及びコンデンサＣ１１を備えない構成としても構わない。なお、図３の構成において、不点灯防止回路１０は、ダイオードＤ１１及びＤ１２、並びにコンデンサＣ１１及びＣ１２を備えない構成としても構わない。
【００５０】
図５及び図６の構成の場合、図３の構成と比較して、ＬＥＤ素子４０の点灯時における不点灯防止回路１０内の消費電力は上昇するものの、従来の構成と比べると、ＬＥＤランプが不点灯となる確率を下げることができる。
【００５１】
また、図７に示すように、不点灯防止回路１０を、ＡＣ／ＤＣ変換部２０とＬＥＤドライバ３０との間に配置しても構わない。ただし、この場合、不点灯防止回路１０に印加される電圧は、電子トランス６０の二次側端子６０ｂに誘起された電圧から、ＡＣ／ＤＣ変換部２０での電圧降下分が差し引かれた電圧となる。このため、ＬＥＤ素子４０が導通するのに必要な二次側端子６０ｂの誘起電圧は、図３の構成よりも高くなる。この結果、図３の構成と比較して、ＬＥＤ素子４０が発光を開始するまでに要する時間が増える可能性がある。しかし、この構成であっても、従来の構成と比べると、ＬＥＤ素子４０が不点灯となる確率を低下させることができる。
【００５２】
なお、不点灯防止回路１０が図４〜図６に示される構成である場合において、不点灯防止回路１０を、ＡＣ／ＤＣ変換部２０とＬＥＤドライバ３０との間に配置しても構わない。
【符号の説明】
【００５３】
１        ：    ＬＥＤランプ
１０        ：    不点灯防止回路
１１        ：    第一回路
１２        ：    第二回路
２０        ：    ＡＣ／ＤＣ変換部
３０        ：    ＬＥＤドライバ
４０        ：    ＬＥＤ素子
６０        ：    電子トランス
６０ａ      ：    電子トランスの一次側端子
６０ｂ      ：    電子トランスの二次側端子
６１        ：    整流回路
６２        ：    平滑回路
６３        ：    発振回路  
Ｃ１１，Ｃ１２，Ｃ６２      ：    コンデンサ
Ｄ１１，Ｄ１２，Ｄ６３      ：    ダイオード
ＬＬ１，ＬＬ２，ＬＬ３      ：    巻線
Ｒ１１，Ｒ１２，Ｒ６３      ：    抵抗
Ｔｒ６３    ：    トランス
Ｑ６３      ：    スイッチング素子
【図１】
0006542604.tif 000002
【図２】
0006542604.tif 000003
【図３】
0006542604.tif 000004
【図４】
0006542604.tif 000005
【図５】
0006542604.tif 000006
【図６】
0006542604.tif 000007
【図７】
0006542604.tif 000008